(57)【特許請求の範囲】
【請求項１】
ネットワークに接続された複数のカラオケ装置を有するカラオケシステムにおいて、
前記複数のカラオケ装置の利用者が共通の目標を達成する参加型機能における目標条件であって、利用者によるカラオケの歌唱に関する目標条件を設定する目標設定手段と、
前記カラオケ装置それぞれにおいて、前記参加型機能への参加の有無を決定する参加決定手段と、
前記参加決定手段により前記参加型機能への参加を決定したカラオケ装置である参加端末の受付けをする参加受付手段と、
前記参加端末それぞれにおいて、利用者によるカラオケの歌唱の利用結果を表す利用情報を作成する作成手段と、
前記参加端末それぞれにおいて作成された前記利用情報を取得する取得手段と、
前記参加端末の数及び前記取得手段により取得された利用情報を集計する集計手段と、
前記集計手段による集計結果に基づいて、前記目標設定手段により設定された目標条件が達成されたか否かを判断する達成判断手段と、
前記達成判断手段により前記目標条件が達成されていないと判断された場合、前記集計手段による集計結果に基づく達成状況を表す達成状況情報を、前記複数のカラオケ装置に送信する達成状況送信手段と、
前記達成状況送信手段により送信された達成状況情報に基づき、前記参加端末それぞれにおいて、前記目標条件の達成を奨励する情報を所定の情報提示手段を介して利用者に提示する達成奨励手段と、
前記達成状況送信手段により送信された達成状況情報に基づき、前記参加型機能に参加していないカラオケ装置である非参加端末において、前記参加型機能への参加を勧誘する情報を所定の情報提示手段を介して利用者に提示する参加勧誘手段と、
前記達成判断手段により前記目標条件が達成されたと判断された場合、前記目標条件が達成されたことを表す情報を、所定の情報提示手段を介して管理者に提示する達成提示手段と、
を備えることを特徴とするカラオケシステム。
【請求項２】
請求項１に記載のカラオケシステムにおいて、
前記目標設定手段によって設定される目標条件には、利用者の歌唱が採点された得点又は参加端末の数の少なくとも何れかに関する条件が含まれていること、
を特徴とするカラオケシステム。
【請求項３】
請求項１又は請求項２に記載のカラオケシステムにおいて、
前記達成奨励手段は、前記目標条件の達成を奨励する情報として、前記目標条件を達成するために必要な残りの条件を表す情報を提示すること、
を特徴とするカラオケシステム。
【請求項４】
複数のカラオケ装置とネットワークを介して通信する管理サーバであって、
前記複数のカラオケ装置の利用者が共通の目標を達成する参加型機能における目標条件であって、利用者によるカラオケの歌唱に関する目標条件を設定する目標設定手段と、
前記参加型機能への参加を決定したカラオケ装置である参加端末の受付けをする参加受付手段と、
前記参加端末それぞれから、利用者によるカラオケの歌唱の利用結果を表す利用情報を取得する取得手段と、
前記参加端末の数及び前記取得手段により取得された利用情報を集計する集計手段と、
前記集計手段による集計結果に基づいて、前記目標設定手段により設定された目標条件が達成されたか否かを判断する達成判断手段と、
前記達成判断手段により前記目標条件が達成されていないと判断された場合、前記集計手段による集計結果に基づく達成状況を表す達成状況情報を、前記複数のカラオケ装置に送信する達成状況送信手段と、
前記達成判断手段により前記目標条件が達成されたと判断された場合、前記目標条件が達成されたことを表す情報を、所定の情報提示手段を介して管理者に提示する達成提示手段と、
を備えることを特徴とする管理サーバ。
【請求項５】
複数のカラオケ装置の利用者が共通の目標を達成する参加型機能への参加の有無を決定する参加決定手段と、
前記参加決定手段により決定された参加の有無を管理サーバに通知する参加通知手段と、
利用者によるカラオケの歌唱の利用結果を表す利用情報を前記管理サーバに送信する利用情報送信手段と、
前記管理サーバから、前記参加型機能の目標条件の達成状況を表す達成状況情報を受信する達成状況受信手段と、
前記決定手段において前記参加型機能への参加が決定されている場合、前記達成状況受信手段により受信された達成状況情報に基づき、前記目標条件の達成を奨励する情報を所定の情報提示手段を介して利用者に提示する達成奨励手段と、
前記決定手段において前記参加型機能への参加が決定されていない場合、前記達成状況受信手段により受信された達成状況情報に基づき、前記参加型機能への参加を勧誘する情報を所定の情報提示手段を介して利用者に提示する参加勧誘手段と、
を備えることを特徴とするカラオケ装置。
【発明の詳細な説明】
【技術分野】
【０００１】
本発明は、複数のカラオケ装置における利用者が協力して目標を達成する参加型機能を提供するカラオケシステムに関する。
【背景技術】
【０００２】
近年、カラオケ装置には、利用者の歌唱技術を得点化する採点アプリケーションを利用して、他の利用者と歌唱得点を競い合う楽しみを提供する機能が搭載されている。例えば、特許文献１には、複数のチームでカラオケの歌唱採点結果を競うチーム対抗歌合戦を楽しめるカラオケシステムが記載されている。また、全国の利用者による歌唱得点をリアルタイムでランキングし、ランキングの成績に応じて利用者に特典を付与するサービスも提供されている。このように、利用者に対して多様な楽しみ方を提供することで、利用者のカラオケ店舗への来店意欲を高める工夫がなされている。
【先行技術文献】
【特許文献】
【０００３】
【特許文献１】特開２００３−２５５９６４号公報
【発明の概要】
【発明が解決しようとする課題】
【０００４】
ところで、利用者のカラオケ店舗への来店意欲を高め、カラオケサービスの利用を促進するために、カラオケサービスの利用実績に応じて特典を付与することが考えられる。例えば、歌唱得点等の累積が基準を満たしたことを条件に特典を付与する。これにより、特典を得るために利用者が歌唱を繰返し行うことになり、カラオケサービスの利用が促進される。さらに、このような特典を付与するサービスを、複数の利用者が協力して共通の目標を達成する参加型のイベントとして実施することで、多くの利用者の来店を見込むことができる。
【０００５】
しかしながら、多人数による参加型のイベントでは、参加人数が基準に満たずにイベントが成立しない可能性も考えられる。参加人数の不足によりイベントが不成立となった場合、参加する意欲のあった利用者に不満が残るため、望ましくない。そのため、より多くの利用者に参加型のイベントに参加してもらえるための工夫が求められる。
【０００６】
本発明は、上記課題を解決するためになされたものである。本発明の目的は、複数のカラオケ装置における利用者が協力して目標を達成する参加型機能において、利用者の意欲を高めるための技術を提供することである。
【課題を解決するための手段】
【０００７】
本発明のカラオケシステムは、ネットワークに接続された複数のカラオケ装置を有する。このカラオケシステムは、目標設定手段と、参加決定手段と、参加受付手段と、作成手段と、取得手段と、集計手段と、達成判断手段と、達成状況送信手段と、達成奨励手段と、参加勧誘手段と、達成提示手段とを備える。
【０００８】
目標設定手段は、複数のカラオケ装置の利用者が共通の目標を達成する参加型機能における目標条件であって、利用者によるカラオケの歌唱に関する目標条件を設定する。参加決定手段は、カラオケ装置それぞれにおいて、参加型機能への参加の有無を決定する。参加受付手段は、参加決定手段により参加型機能への参加を決定したカラオケ装置である参加端末の受付けをする。
【０００９】
作成手段は、参加端末それぞれにおいて、利用者によるカラオケの歌唱の利用結果を表す利用情報を作成する。取得手段は、参加端末それぞれにおいて作成された利用情報を取得する。集計手段は、参加端末の数及び取得手段により取得された利用情報を集計する。達成判断手段は、集計手段による集計結果に基づいて、目標設定手段により設定された目標条件が達成されたか否かを判断する。達成状況送信手段は、達成判断手段により目標条件が達成されていないと判断された場合、集計手段による集計結果に基づく達成状況を表す達成状況情報を、複数のカラオケ装置に送信する。
【００１０】
達成奨励手段は、達成状況送信手段により送信された達成状況情報に基づき、参加端末それぞれにおいて、目標条件の達成を奨励する情報を所定の情報提示手段を介して利用者に提示する。参加勧誘手段は、達成状況送信手段により送信された達成状況情報に基づき、参加型機能に参加していないカラオケ装置である非参加端末において、参加型機能への参加を勧誘する情報を所定の情報提示手段を介して利用者に提示する。達成提示手段は、達成判断手段により目標条件が達成されたと判断された場合、目標条件が達成されたことを表す情報を、所定の情報提示手段を介して管理者に提示する。
【００１１】
本発明によれば、参加型機能について設定された目標条件の達成状況に応じて、参加型機能に参加しているカラオケ装置（参加端末）において目標条件の達成を奨励する情報を利用者に提示できる。これにより、参加端末の利用者に対しては、目標を達成する意欲を効果的に高めることができる。また、参加型機能に参加していないカラオケ装置（非参加端末）において参加型機能への参加を勧誘する情報を利用者に提示できる。これにより、たとえ参加人数の不足により目標条件をまだ達成できていない状況下であっても、目標条件を達成できるように各利用者を導くことができる。このようにすることで、多くの利用者による参加型機能の積極的な参加が促進され、カラオケサービスの利用促進が見込まれる。
【００１２】
請求項２に記載のカラオケシステムは、次の特徴を有する。すなわち、目標設定手段によって設定される目標条件には、利用者の歌唱が採点された得点又は参加端末の数の少なくとも何れかに関する条件が含まれる。利用者の歌唱が採点された得点に関する条件を目標条件とすることで、歌唱による得点を競い合う楽しみを利用者に提供できる。また、参加端末の数に関する条件を目標条件とすることで、多くのグループが参加型機能に参加する効果が期待できる。
【００１３】
請求項３に記載のカラオケシステムは、次の特徴を有する。すなわち、達成奨励手段は、目標条件の達成を奨励する情報として、目標条件を達成するために必要な残りの条件を表す情報を提示する。このようにすることで、参加者が目標条件を達成するために必要な残りの条件を具体的に知ることができ、目標を達成する意欲を効果的に高めることができる。
【００１４】
請求項４に記載の管理サーバは、複数のカラオケ装置とネットワークを介して通信するものであって、本発明のカラオケシステムにおける目標設定手段と、参加受付手段と、取得手段と、達成判断手段と、達成状況送信手段と、達成提示手段とを備える。この管理サーバを、参加型機能に参加する複数のカラオケ装置を有するカラオケシステムに適用することで、請求項１に記載のカラオケシステムについて記載した効果を得られる。
【００１５】
請求項５に記載のカラオケ装置は、参加決定手段と、参加通知手段と、利用情報送信手段と、達成状況受信手段と、達成奨励手段と、参加勧誘手段とを備える。このうち、参加通知手段は、参加決定手段により決定された参加の有無を管理サーバに通知する。利用情報送信手段は、利用者によるカラオケの歌唱の利用結果を表す利用情報を管理サーバに送信する。達成状況受信手段は、管理サーバから参加型機能の目標条件の達成状況を表す達成状況情報を受信する。
【００１６】
達成奨励手段は、決定手段において参加型機能への参加が決定されている場合、達成状況受信手段により受信された達成状況情報に基づき、目標条件の達成を奨励する情報を所定の情報提示手段を介して利用者に提示する。参加勧誘手段は、決定手段において参加型機能への参加が決定されていない場合、達成状況受信手段により受信された達成状況情報に基づき、参加型機能への参加を勧誘する情報を所定の情報提示手段を介して利用者に提示する。このカラオケ装置を複数有するカラオケシステムを構築することで、請求項１に記載のカラオケシステムについて記載した効果を得られる。
【図面の簡単な説明】
【００１７】
【図１】カラオケシステムの全体構成を表すブロック図。
【図２】（ａ）管理サーバの構成を表すブロック図、（ｂ）カラオケ装置の構成を表すブロック図。
【図３】管理サーバ処理の手順を表すフローチャート。
【図４】管理テーブルの具体例を表す説明図。
【図５】カラオケ装置処理の手順を表すフローチャート。
【図６】演出画像の表示例を表す説明図。
【発明を実施するための形態】
【００１８】
以下、本発明の実施形態を図面に基づいて説明する。なお、本発明は下記の実施形態に限定されるものではなく様々な態様にて実施することが可能である。
［カラオケシステムの構成の説明］
図１に示すとおり、実施形態のカラオケシステムは、カラオケ店舗内のＬＡＮ５０に接続された管理サーバ１０、及び複数のカラオケ装置２０ａ，２０ｂ，２０ｃ，２０ｄを有する。なお、図１においては、カラオケ店舗に設けられた１０１〜１０４号室の各個室に設置されているカラオケ装置２０それぞれの符号の後に「ａ」、「ｂ」、「ｃ」又は「ｄ」を付記している。そして、以下の説明においては、カラオケ装置２０ａ，２０ｂ，２０ｃ，２０ｄを特に区別しない場合、単にカラオケ装置２０と表記する。その場合は「ａ」、「ｂ」、「ｃ」，「ｄ」の何れのカラオケ装置も含んで説明しているものとする。なお、図１では、４台のカラオケ装置２０が記載されているが、それより多くのカラオケ装置２０がＬＡＮ５０に接続されていてもよい。
【００１９】
管理サーバ１０は、参加型アプリケーションの進行を統括するサーバ装置である。この参加型アプリケーションとは、複数のカラオケ装置２０の利用者が達成すべき共通の目標条件を設定し、カラオケ装置２０の参加状況や歌唱の採点結果等の利用状況が目標条件を達成できるかどうかを競うものである。このような参加型アプリケーションを利用して、例えば、目標条件が達成された場合にカラオケ店舗の管理者が利用者に対して特典を与えるといった、利用者参加型のイベントを開催する運用をすることが考えられる。
【００２０】
図２（ａ）に示すとおり、管理サーバ１０は、制御部１１、記憶部１２、操作部１３、表示部１４、及び通信インタフェース部１５を備える。制御部１１は、ＣＰＵ、ＲＡＭ、ＲＯＭ等（何れも不図示）を備え、各種プログラムを実行することにより管理サーバ１０の動作を制御する。記憶部１２は、各種情報を記憶する記憶装置である。この記憶部１２には、管理サーバ１０の動作を制御するためのプログラムや各種データ等が記憶される。また、記憶部１２には、カラオケ店舗内に設置された各カラオケ装置２０の識別情報と、各カラオケ装置２０が設置されている部屋の識別情報（例えば、部屋番号）とを対応付けた情報が記憶されている。操作部１３は、カラオケ店舗の管理者による操作を入力するための入力装置である。表示部１４は、画像情報を表示するための出力情報である。通信インタフェース部１５は、管理サーバ１０をＬＡＮ５０に接続し、ＬＡＮ５０を介した通信を制御する通信装置である。
【００２１】
このカラオケ装置２０は、利用者からリクエストされたカラオケ楽曲を演奏する機能や、利用者の歌唱を所定の評価基準に基づいて評価し、その採点結果を算出する機能を有する。また、カラオケ装置２０は、上述の参加型アプリケーションに関する通信機能やユーザインターフェース機能を有する。図２（ｂ）に示すとおり、カラオケ装置２０は、制御部２１、通信インタフェース部２２、記憶部２３、操作部２４、音声入出力部２５を備える。
【００２２】
制御部２１は、ＣＰＵ、ＲＡＭ、ＲＯＭ等（何れも不図示）を備え、所定のプログラムに従って動作することにより、カラオケ装置２０を総合的に制御する。通信インタフェース部２２は、カラオケ装置２０をＬＡＮ５０に接続し、ＬＡＮ５０を介した通信を制御する通信装置である。カラオケ装置２０は、通信インタフェース部２２を介して管理サーバ１０との間で通信を行う。記憶部２３は、例えばハードディスクドライブや半導体メモリ等の記憶装置である。記憶部２３には、カラオケ楽曲を演奏するための楽曲データを多数収録したカラオケデータベースや、カラオケ装置２０の動作を制御するためのプログラム等が記憶される。操作部２４は、利用者からの操作を入力するための入力装置であり、カラオケ装置２０本体に備えられたタッチパネルやキー・スイッチ等からなる。
【００２３】
音声入出力部２５は、音声の入出力を制御するデバイスである。音声入出力部２５の入力側にはマイク２７が接続される。これにより音声入出力部２５は、利用者の歌唱音声を取得する。音声入出力部２５の出力側にはスピーカ２８が接続される。これにより音声入出力部２５は、制御部２１による演奏処理において再生された楽曲の演奏音及び利用者の歌唱音声の音源信号をスピーカ２８に出力する。スピーカ２８は、音声入出力部２５から出力される音源信号を音に換えて出力する。
【００２４】
ディスプレイ２６は、制御部２１から送られてくる映像データに基づいて映像の表示を行う表示装置である。制御部２１は、カラオケの伴奏の演奏処理と併せて、背景画像や歌詞テロップをディスプレイ２６に表示させる。また、制御部２１は、参加型アプリケーションに関する各種演出画像をディスプレイ２６に表示させる。なお、カラオケ装置２０のその他の機能や構成については公知技術に従っているので、ここでは詳細な説明を省略する。
【００２５】
［管理サーバ処理の説明］
管理サーバ１０の制御部１１が実行する処理の手順について、図３のフローチャートを参照しながら説明する。この処理は、管理サーバ１０の稼動中において所定の制御周期で繰返し実行される。
【００２６】
Ｓ１００では、制御部１１は、参加型アプリケーションにおける目標条件を設定する操作指示を受付けたか否かを判定する。目標条件を設定する操作指示を受付けた場合（Ｓ１００：ＹＥＳ）、制御部１１はＳ１０２に進む。一方、目標条件を設定する操作指示を受付けていない場合（Ｓ１００：ＮＯ）、制御部１１はＳ１００を繰返す。Ｓ１０２では、制御部１１は、メモリにおいて管理している管理テーブルの内容を初期化する。
【００２７】
ここで、管理テーブルの構成について、図４（ａ）を参照しながら説明する。図４（ａ）に例示されるとおり、管理テーブルには、参加型アプリケーションにおいて店舗内の複数のカラオケ装置２０の利用者が達成すべき共通の目標条件が登録されている。図４（ａ）の事例では、目標条件として「合計点数」、「参加端末数」といった情報項目が設けられているものとする。目標条件における合計点数の項目は、当該目標条件の下で参加を決定したカラオケ装置２０において行われる歌唱の採点結果の合計点数の達成基準を表す情報である。目標条件における参加端末数の項目は、当該目標条件の下で参加しているカラオケ装置２０（以下、参加端末とも称する）の数の達成基準を表す情報である。
【００２８】
また、この管理テーブルには、各部屋に設置されている複数のカラオケ装置２０それぞれについて、目標条件に関する集計結果を表す情報項目が設けられている。図４（ａ）の事例では、各カラオケ装置２０が設置された部屋ごとに「小計点数」、「参加有無」の情報項目が設けられている。小計点数は、対応するカラオケ装置２０において当該目標条件の下で参加しているときに行われた歌唱の採点結果の点数を合計した値である。参加有無は、対応するカラオケ装置２０が当該目標条件の下で参加型アプリケーションに参加しているか否かを表す情報であり、「１」は参加を表し、「０」は不参加を表す。また、管理テーブルには、参加型アプリケーションに参加している各カラオケ装置２０の小計点数を合計した合計点数が記録される。
【００２９】
Ｓ１０２における初期化では、制御部１１は、管理者により入力された合計点数、参加端末数等の各目標条件の内容を、管理テーブルにおける対応する情報項目に登録する。また、管理テーブルにおける各部屋の小計点数及び参加有無の値を「０」にリセットする。すなわち、図４（ａ）に例示される初期状態にセットされる。
【００３０】
図３のフローチャートの説明に戻る。Ｓ１０４では、制御部１１は、ＬＡＮ５０に接続されている複数のカラオケ装置２０に対して参加型アプリケーションへの参加勧誘を通知する。この参加勧誘は、参加型アプリケーションの開催をカラオケ装置２０に対して通知し、各カラオケ装置２０に対して参加の有無を問合せるための情報であり、Ｓ１０２において登録された目標条件を表す情報等が含まれる。
【００３１】
Ｓ１０６では、制御部１１は、カラオケ装置２０から参加通知を受信したか否かを判定する。参加通知は、後述するカラオケ装置処理（図５参照）のＳ２０６において送信される情報である。この参加通知には、送信元のカラオケ装置２０の識別情報が含まれる。参加通知を受信した場合（Ｓ１０６：ＹＥＳ）、制御部１１はＳ１０８に進む。一方、参加通知を受信していない場合（Ｓ１０６：ＮＯ）、制御部１１はＳ１１０に進む。Ｓ１０８では、制御部１１は、参加通知の送信元であるカラオケ装置２０に対応する部屋番号について、管理テーブルにおける「参加有無」の値を「１」に更新する。参加通知の送受信に伴い管理テーブルにおける「参加有無」の値が「１」に変更されることにより、当該カラオケ装置２０は管理サーバ１０において参加端末として扱われる。一方、参加通知を送信していないカラオケ装置２０については、管理テーブルにおける「参加有無」の値が「０」のままとなり、管理サーバ１０において非参加端末として扱われる。
【００３２】
Ｓ１１０では、制御部１１は、参加端末から採点情報を受信したか否かを判定する。採点情報は、後述するカラオケ装置処理（図５参照）のＳ２１６において送信される情報である。この採点情報は、送信元の参加端末において行われた歌唱の採点結果の点数を表す情報である。採点情報を受信した場合（Ｓ１１０：ＹＥＳ）、制御部１１はＳ１１２に進む。一方、採点情報を受信していない場合（Ｓ１１０：ＮＯ）、制御部１１はＳ１１４に進む。Ｓ１１２では、制御部１１は、採点情報の送信元である参加端末に対応する部屋番号について、管理テーブルにおける「小計点数」の値に採点情報で表される点数を加算し、合計点数を更新する。
【００３３】
ここで、参加型アプリケーションの途中経過における管理テーブルの状態について、図４（ｂ）を参照しながら説明する。図４（ｂ）の事例は、図４（ａ）に示す初期状態から目標条件の達成状況がある程度進捗した状態を表している。図４（ｂ）の事例では、部屋番号１０１，１０２，１０３について参加有無の値が「１」となっており、それぞれの部屋のカラオケ装置２０が参加型アプリケーションに参加している状態を表している。そして、参加型アプリケーションに参加している各カラオケ装置２０において行われた歌唱の採点結果の点数が、それぞれの小計点数の欄に加算されている。一方、部屋番号１０４については参加有無の値が「０」のままであり、１０４号室のカラオケ装置２０が参加型アプリケーションに参加していない状態を表している。図４（ｂ）の事例では、合計点数及び参加端末数の目標条件が何れも未達成となっている。
【００３４】
図３のフローチャートの説明に戻る。Ｓ１１４では、制御部１１は、カラオケ装置２０から管理テーブルの送信要求を受付けたか否かを判定する。この送信要求は、後述するカラオケ装置処理（図５参照）のＳ２１０（参加端末の場合）、又はＳ２２０（非参加端末の場合）において送信される情報である。管理テーブルの送信要求を受付けた場合（Ｓ１１４：ＹＥＳ）、制御部１１はＳ１１６に進む。一方、管理テーブルの送信要求がない場合（Ｓ１１４：ＮＯ）、制御部１１はＳ１１８に進む。Ｓ１１６では、制御部１１は、要求元のカラオケ装置２０に管理テーブルのデータを送信する。Ｓ１１８では、制御部１１は、管理テーブルに基づいて目標条件が達成されたか否かを判定する。目標条件が達成されていない場合（Ｓ１１８：ＮＯ）、制御部１１はＳ１０６に戻る。一方、目標条件が達成された場合（Ｓ１１８：ＹＥＳ）、制御部１１はＳ１２０に進む。
【００３５】
ここで、目標条件が達成されたときの管理テーブルの状態について、図４（ｃ）を参照しながら説明する。図４（ｃ）の事例は、図４（ｂ）に示す状態から目標条件の達成状況が更に進捗した状態を表している。図４（ｃ）の事例では、部屋番号１０１，１０２，１０３，１０４において参加有無の値が全て「１」となっており、目標条件における参加端末数を満たしている。また、各部屋の小計点数の合計が１０００点を超えており、目標条件における合計点数を満たしている。よって、図４（ｃ）の管理テーブルにおいては、設定された目標条件が全て達成されたことになる。
【００３６】
図３のフローチャートの説明に戻る。Ｓ１２０では、制御部１１は、目標条件が達成されたことを表す情報を管理者に対して報知する。例えば、制御部１１は、目標条件が達成されたことを表す画像情報や、参加端末に対応する部屋番号等の画像情報を表示部１４に表示する。Ｓ１２２では、制御部１１は、目標条件が達成されたことを表す情報（目標条件達成通知）を各カラオケ装置２０に対して通知する。Ｓ１２４では、制御部１１は、イベント終了処理として管理テーブルの内容をリセットする。具体的には、制御部１１は、管理テーブルにおける目標条件の内容を消去し、各部屋の小計点数及び参加有無の値を「０」にリセットする。これにより、今回の参加型のイベントは終了し、全てのカラオケ装置２０が非参加端末に変更される。Ｓ１２４の後、制御部１１はＳ１００に戻り、次の参加型のイベントのための目標条件の設定を待ち受ける。
【００３７】
［カラオケ装置処理の説明］
カラオケ装置２０の制御部２１が実行する処理の手順について、図５のフローチャートを参照しながら説明する。この処理は、カラオケ装置２０の稼動中において所定の制御周期で繰返し実行される。
【００３８】
Ｓ２００では、制御部２１は、管理サーバ１０から参加型アプリケーションへの参加勧誘通知を受付けたか否かを判定する。この参加勧誘通知は、上述の管理サーバ処理（図３参照）のＳ１０４において送信される情報である。参加勧誘通知を受付けた場合（Ｓ２００：ＹＥＳ）、制御部２１はＳ２０２に進む。一方、参加勧誘通知を受付けていない場合（Ｓ２００：ＮＯ）、制御部２１はＳ２００を繰返す。
【００３９】
Ｓ２０２では、制御部２１は、受信した参加勧誘通知に基づく参加受付画面をディスプレイ２６に表示する。この参加受付画面には、例えば、参加型アプリケーションの目標条件を表す画像情報や、参加型アプリケーションへの参加の有無を決定する機能が割当てられたグラフィカルユーザインタフェース（ＧＵＩ）が含まれる。Ｓ２０４では、制御部２１は、参加を決定する操作指示が利用者によって入力されたか否かを判定する。この操作指示は、例えば、操作部２４やリモコン端末（不図示）を介して利用者によって入力されるものとする。参加を決定する操作指示が入力された場合（Ｓ２０４：ＹＥＳ）、制御部２１はＳ２０６に進む。
【００４０】
Ｓ２０６では、制御部２１は、自カラオケ装置２０の識別情報を含む参加通知を管理サーバ１０に送信する。この参加通知が管理サーバ１０に受理されることにより、管理サーバ１０において当該カラオケ装置２０が非参加端末から参加端末に変更される。Ｓ２０８では、制御部２１は、管理サーバ１０から目標条件達成通知を受信したか否かを判定する。目標条件達成通知は、管理サーバ処理（図３参照）のＳ１２２において送信される情報である。目標条件達成通知を受信していない場合（Ｓ２０８：ＮＯ）、制御部２１はＳ２１０に進む。Ｓ２１０では、制御部２１は、管理サーバ１０に対して管理テーブルの送信を要求し、管理テーブル（図４参照）のデータを取得する。Ｓ２１２では、制御部２１は、Ｓ２１０で取得した管理テーブルに基づき、利用者に対して目標条件の達成を奨励する演出画像をディスプレイ２６に表示させる。
【００４１】
ここで、目標条件の達成を奨励する演出画像の具体例について、図６（ａ）を参照しながら説明する。図６（ａ）の事例は、カラオケ楽曲の演奏処理において表示される背景画像に重畳して、目標条件の達成を奨励する演出画像３０ａが表示された状況を表したものである。この演出画像３０ａには、演奏中の楽曲に対応する歌詞テロップの表示領域以外のスペースを利用して、３０ｂ，３０ｃ，３０ｄの各画像情報が描画されている。３０ｂは、自カラオケ装置２０が参加型アプリケーションに参加中であることを表す画像情報である。
【００４２】
３０ｃは、目標条件の達成状況を表す画像情報である。図６（ａ）の事例では、画像情報３０ｃとして、各部屋における歌唱の採点結果の小計点数が記述されている。３０ｄは、目標条件達成のために必要な残りの条件を表す画像情報である。図６（ａ）の事例では、画像情報３０ｄとして、歌唱の採点結果の合計点数の不足分と参加端末数の不足分とが記述されている。
【００４３】
図５のフローチャートの説明に戻る。Ｓ２１４では、制御部２１は、自カラオケ装置２０において新規の歌唱採点結果が作成されたか否かを判定する。歌唱採点結果が作成された場合（Ｓ２１４：ＹＥＳ）、制御部２１はＳ２１６に進む。Ｓ２１６では、制御部２１は、自カラオケ装置２０の識別情報と歌唱採点結果の点数とを含む採点情報を管理サーバ１０に送信する。Ｓ２１６の後、制御部２１はＳ２０８に戻る。一方、Ｓ２１４において歌唱採点結果が作成されていないと判定された場合（Ｓ２１４：ＮＯ）、制御部２１はＳ２０８に戻る。
【００４４】
一方、Ｓ２０８において目標条件達成通知を受信したと判定された場合（Ｓ２０８：ＹＥＳ）、制御部２１はＳ２１８に進む。Ｓ２１８では、制御部２１は、目標条件達成に関する演出画像をディスプレイ２６に表示させる。この演出画像には、例えば、目標条件が達成されたことを利用者に通知するメッセージ等の画像情報が含まれる。Ｓ２１８の後、制御部２１はＳ２００に戻る。
【００４５】
一方、Ｓ２０４において参加を決定する操作指示が入力されなかった場合（Ｓ２０４：ＮＯ）、制御部２１はＳ２２０に進む。Ｓ２２０では、制御部２１は、管理サーバ１０に対して管理テーブルの送信を要求し、管理テーブル（図４参照）のデータを取得する。Ｓ２２２では、制御部２１は、Ｓ２２０で取得した管理テーブルに基づいて、利用者に対して参加を勧誘する演出画像（非参加端末に対応する演出画像）をディスプレイ２６に表示させる。
【００４６】
ここで、参加を勧誘する演出画像の具体例について、図６（ｂ）を参照しながら説明する。図６（ｂ）の事例は、カラオケ楽曲の演奏処理において表示される背景画像に重畳して、参加を勧誘する演出画像３１ａが表示された状況を表したものである。この演出画像３１ａには、演奏中の楽曲に対応する歌詞テロップの表示領域以外のスペースを利用して、３１ｂ，３１ｃ，３１ｄ，３１ｅの各画像情報が描画されている。３１ｂは、参加型アプリケーションへの参加を促すメッセージ表す画像情報である。
【００４７】
３１ｃは、目標条件の達成状況を表す画像情報である。図６（ｂ）の事例では、画像情報３１ｃとして、各部屋における歌唱の採点結果の小計点数が記述されている。３１ｄは、目標条件達成のために必要な残り条件として、参加端末数の不足分を表す画像情報である。３１ｅは、参加型アプリケーションへの参加の有無を決定するＧＵＩとして機能する画像情報である。
【００４８】
図５のフローチャートの説明に戻る。Ｓ２２４では、制御部２１は、管理サーバ１０から目標条件達成通知を受信したか否かを判定する。目標条件達成通知は、管理サーバ処理（図３参照）のＳ１２２において送信される情報である。目標条件達成通知を受信していない場合（Ｓ２２４：ＮＯ）、制御部２１はＳ２０４に戻る。一方、Ｓ２２４において目標条件達成通知を受信したと判定された場合（Ｓ２２４：ＹＥＳ）、制御部２１はＳ２２６に進む。Ｓ２２６では、制御部２１は、参加を勧誘する演出画像の表示を終了する。Ｓ２２６の後、制御部２１はＳ２００に戻る。
【００４９】
［効果］
実施形態のカラオケシステム１によれば、次の効果を奏する。
参加型アプリケーションについて設定された目標条件の達成状況に応じて、参加端末において目標条件の達成を奨励する演出画像を利用者に提示できる。これにより、参加端末の利用者に対しては、目標を達成する意欲を効果的に高めることができる。具体的には、目標条件を達成するために必要な残りの条件を表す情報を提示することで、参加者が目標条件を達成するために必要な残りの条件を具体的に知ることができ、目標を達成する意欲を効果的に高めることができる。
【００５０】
また、非参加端末において参加型アプリケーションへの参加を勧誘する演出画像を利用者に提示できる。これにより、たとえ参加者の不足により目標条件をまだ達成できていない状況下であっても、目標条件を達成できるように各利用者を導くことができる。このようにすることで、多くの利用者による参加型アプリケーションの積極的な参加が促進され、カラオケサービスの利用促進が見込まれる。
【００５１】
また、歌唱採点結果の点数に関する条件を目標条件とすることで、歌唱による得点を競い合う楽しみを利用者に提供できる。また、参加端末の数に関する条件を目標条件とすることで、多くのグループが参加型アプリケーションに参加する効果が期待できる。
【００５２】
［変形例］
上述の実施形態では、参加型アプリケーションにおける目標条件として、歌唱採点結果の合計点数や参加端末数に関する条件を含む事例について説明した。それ以外にも、例えば、個々の参加端末における歌唱評価結果の小計点数について、個別に達成基準を設定してもよい。また、目標条件を達成するまでの時間に制限を設けてもよい。
【００５３】
［特許請求の範囲に記載の構成との対応］
実施形態の各構成と、特許請求の範囲に記載の構成との対応は次のとおりである。
管理サーバ１０の制御部１１及び図３のＳ１０２が、目標設定手段に相当する。管理サーバ１０の制御部１１及び図３のＳ１０８が、参加受付手段に相当する。管理サーバ１０の制御部１１及び図３のＳ１１０が、取得手段に相当する。管理サーバ１０の制御部１１及び図３のＳ１１２が、集計手段に相当する。管理サーバ１０の制御部１１及び図３のＳ１１６が、達成状況送信手段に相当する。管理サーバ１０の制御部１１及び図３のＳ１１８が、達成判断手段に相当する。管理サーバ１０の制御部１１及び図３のＳ１２０が、達成提示手段に相当する。
【００５４】
カラオケ装置２０の制御部２１及び図５のＳ２０４が、参加決定手段に相当する。カラオケ装置２０の制御部２１及び図５のＳ２０６が、参加通知手段に相当する。カラオケ装置２０の制御部２１及び図５のＳ２１６が、作成手段及び利用情報送信手段に相当する。カラオケ装置２０の制御部２１及び図５のＳ２１０，Ｓ２２０が、達成状況受信手段に相当する。カラオケ装置２０の制御部２１及び図５のＳ２１２が、達成奨励手段に相当する。カラオケ装置２０の制御部２１及び図５のＳ２２２が、参加勧誘手段に相当する。
【符号の説明】
【００５５】
１…カラオケシステム、１０…管理サーバ、１１…制御部、１２…記憶部、１３…操作部、１４…表示部、１５…通信インタフェース部、２０…カラオケ装置、２１…制御部、２２…通信インタフェース部、２３…記憶部、２４…操作部、２５…音声入出力部、２６…ディスプレイ、２７…マイク、２８…スピーカ。
【図１】
0006394468.tif 000002
【図２】
0006394468.tif 000003
【図３】
0006394468.tif 000004
【図４】
0006394468.tif 000005
【図５】
0006394468.tif 000006
【図６】
0006394468.tif 000007